(57)【要約】【課題】励磁コイルから５０端子１７（通電用端子）までの結線を容易に行うことができ、且つ結線部の耐振性を向上できるスタータ１を提供すること。【解決手段】励磁コイルのリード線７ａは、コイル引出し部に案内されてスイッチケース８の外部に引き出され、そのコイル引出し部に固定されたオスターミナル１４に溶接等により接続されている。コイル引出し部は、励磁コイルが巻線されるボビンの端板部と一体に設けられ、スイッチケース８の底面から外部に取り出されている。電磁スイッチ６が組み付けられる台座１１には、板状の金具がインサート成形され、その金具の一端側に５０端子１７が設けられ、他端側にメスターミナル１８が設けられている。メスターミナル１８は、電磁スイッチ６を台座１１の所定位置に組み付けた時に、オスターミナル１４と嵌合する。【選択図】        図１
2004218597.tif 000002
【特許請求の範囲】
【請求項１】
スタータモータの軸方向一端側に台座に組み付けられて配置される電磁スイッチと、
この電磁スイッチに内蔵される励磁コイルへの通電用端子とを備えたスタータであって、
前記電磁スイッチは、前記励磁コイルを内部に収納するスイッチケースと、前記励磁コイルの一方のリード線を案内して前記スイッチケースの外部に引き出すコイル引出し部と、このコイル引出し部に固定されたターミナル部とを有し、このターミナル部に前記一方のリード線が接続され、
前記台座には、一端側に前記通電用端子を備えた金具が配置され、この金具の他端側に前記ターミナル部と嵌合する連結用ターミナルが設けられていることを特徴とするスタータ。
【請求項２】
請求項１に記載したスタータにおいて、
前記連結用ターミナルは、前記電磁スイッチを前記台座の所定位置に組み付けた時に、前記ターミナル部と嵌合する位置に配置されていることを特徴とするスタータ。
【請求項３】
請求項２に記載したスタータにおいて、
前記電磁スイッチと前記台座には、前記電磁スイッチを前記台座に組み付ける時の位置決めを行う位置決め手段が設けられ、この位置決め手段は、前記電磁スイッチを前記台座に組み付ける際に、前記ターミナル部と前記連結用ターミナルとが嵌合する前に、前記台座に対する前記電磁スイッチの組み付け位置を規制することを特徴とするスタータ。
【請求項４】
請求項３に記載したスタータにおいて、
前記電磁スイッチを前記台座に組み付ける時に、前記ターミナル部と前記連結用ターミナルとの嵌合に要する力をターミナル嵌合力と呼ぶ時に、
前記コイル引出し部に固定される前記ターミナル部の取り付け強度は、前記ターミナル嵌合力以上に設定されていることを特徴とするスタータ。
【請求項５】
請求項４に記載したスタータにおいて、
前記コイル引出し部は、前記励磁コイルが巻線されるボビンと一体に設けられて前記スイッチケースの外部に取り出されていることを特徴とするスタータ。
【請求項６】
請求項１〜５に記載した何れかのスタータにおいて、
前記金具は、絶縁性を有する前記台座にインサート成形されていることを特徴とするスタータ。
【請求項７】
請求項１〜６に記載した何れかのスタータにおいて、
前記台座は、前記スイッチケースの外周面を支持する支持面を有し、この支持面に凹設されて周囲が壁面に囲まれた凹部が形成され、この凹部に前記連結用ターミナルが取り出されており、
前記台座に前記電磁スイッチを組み付けた時に、前記スイッチケースの外周面によって前記凹部が閉ざされた閉空間となり、この閉空間に前記ターミナル部と前記連結用ターミナルとの嵌合部が配置されることを特徴とするスタータ。
【請求項８】
請求項１〜７に記載した何れかのスタータにおいて、
前記ターミナル部と前記連結用ターミナルは、どちらか一方がオスターミナルであり、他方がメスターミナルであることを特徴とするスタータ。
【請求項９】
スタータモータの軸方向一端側に台座に組み付けられて配置される電磁スイッチと、
この電磁スイッチに内蔵される励磁コイルへの通電用端子とを備えたスタータであって、
前記電磁スイッチは、前記励磁コイルを内部に収納するスイッチケースと、前記励磁コイルの一方のリード線を案内して前記スイッチケースの外部に引き出すコイル引出し部と、このコイル引出し部に固定されたターミナル部とを有し、このターミナル部に前記一方のリード線が接続され、且つ前記ターミナル部と前記通電用端子とが一体に設けられていることを特徴とするスタータ。
【発明の詳細な説明】
【０００１】
【発明の属する技術分野】
本発明は、内燃機関を始動するためのスタータであり、特に電磁スイッチの結線構造に関する。
【０００２】
【従来の技術】
従来技術として、例えば特許文献１及び２に記載されたスタータがある。
このスタータは、スタータモータの軸方向反ピニオン側に電磁スイッチを配置し、その電磁スイッチに内蔵される励磁コイルの一方のリード線が通電用端子（通称５０端子）に接続され、他方のリード線がアースを成すホルダプレートに接続されている。
通電用端子は、一端側が電磁スイッチの台座に支持されると共に、他端側が電磁スイッチの外側を覆うエンドカバーを貫通して外部に取り出され、始動スイッチ（イグニッションキー）に繋がるリード線に接続されている。
【０００３】
【特許文献１】
特開平９−７９１２２  号公報
【特許文献２】
特開平９−２７３４６５号公報（図３、図４）
【０００４】
【発明が解決しようとする課題】
ところが、上記の従来技術（特許文献１及び２）では、通電用端子が電磁スイッチの台座に支持されているため、励磁コイルのリード線引出し部と通電用端子との間に距離がある。従って、励磁コイルの一方のリード線をリード線引出し部から通電用端子まで空間を渡して半田付け等により結線する必要がある。この場合、空間を渡るリード線が不安定となるため、通電用端子への結線作業を自動化することが困難であった。
【０００５】
また、空間を渡るリード線が振動を受けて振られると、断線の虞や他部品と干渉する虞等があるため、これを防止する手段として、リード線の途中をクランプする等の措置が必要であり、作業工数の増加に伴ってコストアップを招くという問題を有している。
本発明は、上記事情に基づいて成されたもので、その目的は、励磁コイルから通電用端子までの結線を容易に行うことができ、且つ結線部の耐振性を向上できるスタータを提供することにある。
【０００６】
【課題を解決するための手段】
（請求項１の発明）
本発明のスタータは、スタータモータの軸方向一端側に台座に組み付けられて配置される電磁スイッチと、この電磁スイッチに内蔵される励磁コイルへの通電用端子とを備えている。
電磁スイッチは、励磁コイルを内部に収納するスイッチケースと、励磁コイルの一方のリード線を案内してスイッチケースの外部に引き出すコイル引出し部と、このコイル引出し部に固定されたターミナル部とを有し、このターミナル部に一方のリード線が接続されている。また、台座には、一端側に通電用端子を備えた金具が配置され、この金具の他端側にターミナル部と嵌合する連結用ターミナルが設けられている。
【０００７】
この構成によれば、通電用端子とは別にターミナル部を有し、そのターミナル部が金具に設けられた連結用ターミナルとの嵌合によって通電用端子と導通するので、励磁コイルの一方のリード線を通電用端子に直接結線する必要はなく、ターミナル部に接続することで通電用端子との導通を得ることができる。従って、通電用端子の取付け位置に係わらず、ターミナル部をコイル引出し部に固定して設けることができるので、励磁コイルの一方のリード線をターミナル部に直に接続することができる。その結果、一方のリード線が空間を渡って配線されることはなく、安定した状態でターミナル部に接続できる。
【０００８】
（請求項２の発明）
請求項１に記載したスタータにおいて、
連結用ターミナルは、電磁スイッチを台座の所定位置に組み付けた時に、ターミナル部と嵌合する位置に配置されていることを特徴とする。
この構成によれば、台座への電磁スイッチの組み付けと同時にターミナル部と連結用ターミナルとの嵌合を行うことができる。
【０００９】
（請求項３の発明）
請求項２に記載したスタータにおいて、
電磁スイッチと台座には、電磁スイッチを台座に組み付ける時の位置決めを行う位置決め手段が設けられ、この位置決め手段は、電磁スイッチを台座に組み付ける際に、ターミナル部と連結用ターミナルとが嵌合する前に、台座に対する電磁スイッチの組み付け位置を規制することを特徴とする。
【００１０】
この構成によれば、位置決め手段により、台座に対する電磁スイッチの組み付け位置が規制された状態でターミナル部と連結用ターミナルとの嵌合が行われるので、そのターミナル部と連結用ターミナルとの嵌合が行われた後に、台座に対する電磁スイッチの位置が大きく移動することはない。従って、電磁スイッチを台座に組み付ける際に、両ターミナルに大きな外力が加わることはなく、両ターミナルの変形等による嵌合不良を防止できる。
【００１１】
（請求項４の発明）
請求項３に記載したスタータにおいて、
電磁スイッチを台座に組み付ける時に、ターミナル部と連結用ターミナルとの嵌合に要する力をターミナル嵌合力と呼ぶ時に、コイル引出し部に固定されるターミナル部の取り付け強度は、ターミナル嵌合力以上に設定されていることを特徴とする。
この構成によれば、ターミナル部と連結用ターミナルとの嵌合時にターミナル部を保持しなくても良いので、電磁スイッチを台座に組み付ける時の作業効率が向上する。
【００１２】
（請求項５の発明）
請求項４に記載したスタータにおいて、
コイル引出し部は、励磁コイルが巻線されるボビンと一体に設けられてスイッチケースの外部に取り出されていることを特徴とする。
この構成によれば、コイル引出し部をボビンと一体成形することにより、コイル引出し部に固定したターミナル部とボビン及びボビンに巻線された励磁コイルとの間で振動を受けたときの相対動きがなくなり、振動に伴う一方のリード線の断線を防止できる。
【００１３】
（請求項６の発明）
請求項１〜５に記載した何れかのスタータにおいて、
金具は、絶縁性を有する台座にインサート成形されていることを特徴とする。
この構成によれば、金具が台座から露出することがないので、金具に絶縁処理を施す必要がなくなる。また、金具が台座にインサート成形されるので、振動を受けた時に金具が単体で振れることはなく、振動に伴う一方のリード線の断線を防止できる。
【００１４】
（請求項７の発明）
請求項１〜６に記載した何れかのスタータにおいて、
台座は、スイッチケースの外周面を支持する支持面を有し、この支持面に凹設されて周囲が壁面に囲まれた凹部が形成され、この凹部に連結用ターミナルが取り出されており、台座に電磁スイッチを組み付けた時に、スイッチケースの外周面によって凹部が閉ざされた閉空間となり、この閉空間にターミナル部と連結用ターミナルとの嵌合部が配置されることを特徴とする。
この構成によれば、ターミナル部と連結用ターミナルとの嵌合部が外部から遮断された閉空間に配置されるので、ターミナル嵌合部への砂塵やほこり等の付着による接触不良を防止でき、信頼性のある結線構造を実現できる。
【００１５】
（請求項８の発明）
請求項１〜７に記載した何れかのスタータにおいて、
ターミナル部と連結用ターミナルは、どちらか一方がオスターミナルであり、他方がメスターミナルであることを特徴とする。
ターミナル部と連結用ターミナルは、差込み式の嵌合構造とすることにより、台座への電磁スイッチの組み付けと同時に両ターミナル同士の結合（嵌合）を容易に、且つ確実に行うことが可能である。
【００１６】
（請求項９の発明）
本発明のスタータは、スタータモータの軸方向一端側に台座に組み付けられて配置される電磁スイッチと、この電磁スイッチに内蔵される励磁コイルへの通電用端子とを備えている。
電磁スイッチは、励磁コイルを内部に収納するスイッチケースと、励磁コイルの一方のリード線を案内してスイッチケースの外部に引き出すコイル引出し部と、このコイル引出し部に固定されたターミナル部とを有し、このターミナル部に一方のリード線が接続され、且つターミナル部と通電用端子とが一体に設けられている。
【００１７】
この構成によれば、ターミナル部をコイル引出し部に固定して設けることにより、そのターミナル部に励磁コイルの一方のリード線を直に接続することができる。その結果、一方のリード線が空間を渡って配線されることはなく、安定した状態でターミナル部に接続できる。
また、ターミナル部と通電用端子とが一体に設けられているので、端子構造を簡素化でき、且つ耐振性を向上できる。
【００１８】
【発明の実施の形態】
次に、本発明の実施形態を図面に基づいて説明する。
（第１実施例）
図１はスタータ１の全体断面図である。
本実施例のスタータ１は、回転力を発生するモータ２と、このモータ２に駆動されて回転する出力軸３、この出力軸３上にヘリカルスプライン嵌合するピニオン４、モータ２の起動時にピニオン４の回転を規制するピニオン規制部材５、及びモータ２の通電電流をＯＮ／ＯＦＦする電磁スイッチ６等より構成され、回転規制されたピニオン４を軸方向（図１の左方向）に移動させてエンジンのリングギヤ（図示せず）に噛み合わせる方式である。なお、同方式の詳細な構造及び作動は周知（特許文献１参照）であり、その説明は省略する。
【００１９】
以下に、電磁スイッチ６とその組み付け構造について説明する。
電磁スイッチ６は、ボビン（図示せず）に巻線された励磁コイル７（図２参照）と、この励磁コイル７を内部に収容するスイッチケース８、このスイッチケース８と共に励磁コイル７の固定磁路を形成する固定鉄心９（図１参照）、及び励磁コイル７の内径側に挿入されるプランジャ１０（図２参照）等より構成され、図１に示す様に、樹脂製の台座１１に組み付けられてスタータ１の後部（モータ２の軸方向反ピニオン側）に置かれ、プランジャ１０の動作方向（図示上下方向）がモータ２の軸方向（図示左右方向）と直交する向きに配置されている。
【００２０】
励磁コイル７は、ＩＧキー１２（図２参照）のＯＮ操作により通電されて磁力を発生する。励磁コイル７の一方のリード線７ａは、コイル引出し部１３に案内されてスイッチケース８の外部に引き出され、スイッチケース８の外部でオスターミナル１４（本発明のターミナル部）に溶接等により接続されている。また、励磁コイル７の他方のリード線（図示せず）は、台座１１を保持する金属製のプレート１５（図１参照）にアース接続されている。
【００２１】
コイル引出し部１３は、励磁コイル７の一端側に配置されるボビンの端板部と一体に設けられ、図３（ａ）に示す様に、スイッチケース８の底面８ｂから軸方向に沿って外部に取り出されている。
オスターミナル１４は、スイッチケース８から取り出されたコイル引出し部１３の外周に巻き付けた状態（圧入状態）で固定され、台座１１側（図３の下側）に向かって設けられている。このオスターミナル１４は、励磁コイル７のリード線７ａが接続される接続部１４ａを有し、この接続部１４ａがコイル引出し部１３の突出方向に沿って板状に長く設けられ、接続部１４ａの全長内でリード線７ａの接続が行われている（図３（ａ）参照）。
【００２２】
スイッチケース８は、図３に示す様に、励磁コイル７の外周を覆う筒壁部８ａと、ボビンの端板部を覆う底面８ｂとを有し、この底面８ｂの中央部にプランジャ１０を挿通する丸孔（図示せず）が開口している。
固定鉄心９は、スイッチケース８内の開口部側（反底面側）に配置されて、その開口部を閉塞している。この固定鉄心９には、電磁スイッチ６を台座１１に組み付ける時の位置決めを行う位置決め突起９ａが設けられ、その位置決め突起９ａがスイッチケース８の外側に取り出されて、オスターミナル１４と同一方向に突出している。
プランジャ１０は、固定鉄心９とエアギャップを有して対向し、その固定鉄心９との間に配置されるリターンスプリング（図示せず）により反鉄心方向へ付勢されている。
【００２３】
電磁スイッチ６が組み付けられる台座１１には、図４に示す様に、板状の金具１６がインサート成形され、その金具１６の一端側に励磁コイル７への通電用端子（以下５０端子１７と呼ぶ）が設けられ、他端側にメスターミナル１８（本発明の連結用ターミナル）が設けられている。
５０端子１７は、図４（ｂ）に示す様に、台座１１より図示上方へ突出して、電磁スイッチ６の外側を覆うエンドフレーム１９（図１参照）の外部に取り出され、電気配線を介してＩＧキー１２に接続される（図２参照）。メスターミナル１８は、電磁スイッチ６を台座１１の所定位置に組み付けた時に、オスターミナル１４と嵌合して励磁コイル７と５０端子１７との間を導通する。
【００２４】
また、台座１１には、電磁スイッチ６の位置決め突起９ａに対応する位置決め孔１１ａが形成されている。なお、位置決め突起９ａと位置決め孔１１ａとの関係は、電磁スイッチ６を台座１１に組み付ける際に、オスターミナル１４とメスターミナル１８との嵌合が行われる前に、台座１１に対する電磁スイッチ６の組み付け位置を規制できる様に設けられている。つまり、オスターミナル１４がメスターミナル１８に嵌合する前に、位置決め突起９ａが位置決め孔１１ａに入ることができる寸法関係が成立している。
【００２５】
（本実施例の作用及び効果）
本実施例のスタータ１は、電磁スイッチ６のコイル引出し部１３にオスターミナル１４を固定し、そのオスターミナル１４に励磁コイル７のリード線７ａが接続される。更に、オスターミナル１４は、電磁スイッチ６を台座１１に組み付けた時に、メスターミナル１８に嵌合して５０端子１７と導通するので、５０端子１７の位置がコイル引出し部１３から離れていても、励磁コイル７のリード線７ａをコイル引出し部１３から５０端子１７まで空間を渡して配線する必要がない。この構成によれば、励磁コイル７のリード線７ａを安定した状態でオスターミナル１４に接続できるので、その結線作業の自動化が可能となり、スタータ全体の組み付け性が向上する。
【００２６】
また、励磁コイル７のリード線７ａを空間を渡すことなく直にオスターミナル１４に接続できるので、車両の振動によってリード線７ａが振られることはなく、クランプ等でリード線７ａを固定しなくても、リード線７ａの断線や他部品との干渉を防止できる。
更に、オスターミナル１４は、コイル引出し部１３に巻き付けた状態（圧入状態）で固定されるので、そのコイル引出し部１３に対するオスターミナル１４の取付け強度を、オスターミナル１４とメスターミナル１８との嵌合に要する嵌合力以上にできる。その結果、オスターミナル１４とメスターミナル１８との嵌合時にオスターミナル１４を保持しなくても良いので、電磁スイッチ６を台座１１に組み付ける時の作業効率が向上する。
【００２７】
また、５０端子１７とメスターミナル１８とを有する金具１６は、５０端子１７とメスターミナル１８との間が絶縁性を有する樹脂製の台座１１にインサート成形されている。これにより、金具１６が台座１１の外部に露出することがないので、金具１６に絶縁処理を施す必要がなくなる。また、金具１６が台座１１にインサート成形されるので、振動を受けた時に金具１６が単体で振れることはなく、振動によってオスターミナル１４とメスターミナル１８との嵌合が外れる虞もない。なお、図４（ａ）では、金具１６の上部側が開いているが、５０端子１７とメスターミナル１８との間を完全に台座１１に埋設しても良い。
【００２８】
電磁スイッチ６と台座１１には、電磁スイッチ６を台座１１に組み付ける時の位置決め手段（位置決め突起９ａと位置決め孔１１ａ）が設けられている。この位置決め手段は、オスターミナル１４がメスターミナル１８に嵌合する前に、位置決め突起９ａが位置決め孔１１ａに入ることで、台座１１に対する電磁スイッチ６の組み付け位置を規制することができる。この構成によれば、台座１１に対する電磁スイッチ６の組み付け位置が規制された状態でオスターミナル１４とメスターミナル１８との嵌合が行われるので、オスターミナル１４とメスターミナル１８との嵌合が行われた後に、台座１１に対して電磁スイッチ６の位置が大きく移動することはない。従って、電磁スイッチ６を台座１１に組み付ける際に、両ターミナル１４、１８に大きな外力が加わることはなく、両ターミナル１４、１８の変形を防止できる。
【００２９】
（第２実施例）
本実施例は、オスターミナル１４とメスターミナル１８との嵌合部を閉空間に配置した一例である。
オスターミナル１４は、図５に示す様に、スイッチケース８の筒壁部８ａから取り出されたコイル引出し部１３に固定され、第１実施例と同様に、コイル引出し部１３に案内された励磁コイル７のリード線７ａが溶接等により接続されている。
メスターミナル１８は、図６に示す様に、台座１１に形成された凹部１１ｂに配置されている。この凹部１１ｂは、スイッチケース８の外周面を支持する支持面１１ｃに凹設されて、周囲が壁面に囲まれている。
【００３０】
上記の構成によれば、図７に示す様に、電磁スイッチ６を台座１１に組み付けた時に、スイッチケース８の外周面によって凹部１１ｂが閉ざされた閉空間となり、この閉空間にオスターミナル１４とメスターミナル１８との嵌合部が配置されることになる。この場合、オスターミナル１４とメスターミナル１８との嵌合部が外部から遮断されるので、ターミナル嵌合部への砂塵やほこり等の付着による接触不良を防止でき、信頼性の高い結線構造を実現できる。
【００３１】
（第３実施例）
本実施例は、オスターミナル１４と５０端子１７とを一体に設けた一例である。
オスターミナル１４は、図８に示す様に、エンドフレーム１９の近傍でコイル引出し部１３に固定され、そのまま５０端子１７としてエンドフレーム１９の外部に取り出されている。
この構成によれば、オスターミナル１４が５０端子１７を兼ねているので、第１及び第２実施例で説明した金具１６が不要となる。その結果、端子構造を簡素化でき、且つ耐振性を向上できる。なお、励磁コイル７のリード線７ａをコイル引出し部１３に固定したオスターミナル１４に接続する構成は、第１実施例と同じであり、同様の効果を得ることができる。
【図面の簡単な説明】
【図１】スタータの全体断面図である（第１実施例）。
【図２】スタータの電気回路図である。
【図３】電磁スイッチの側面図（ａ）と軸方向正面図（ｂ）である（第１実施例）。
【図４】台座の平面図（ａ）と側面図（ｂ）である（第１実施例）。
【図５】電磁スイッチの側面図（ａ）と軸方向正面図（ｂ）である（第２実施例）。
【図６】台座の平面図である（第２実施例）。
【図７】台座に電磁スイッチを組み付けた状態を示す側面図である（第２実施例）。
【図８】電磁スイッチの周辺構造を示すスタータの後部断面図である（第３実施例）。
【符号の説明】
１    スタータ
２    モータ（スタータモータ）
６    電磁スイッチ
７    励磁コイル
７ａ  励磁コイルのリード線
８    スイッチケース
９ａ  位置決め突起（位置決め手段）
１１    台座
１１ａ  位置決め孔（位置決め手段）
１１ｂ  凹部
１１ｃ  支持面
１３    コイル引出し部
１４    オスターミナル（ターミナル部）
１６    金具
１７    ５０端子（通電用端子）
１８    メスターミナル（連結用ターミナル）
【図１】
2004218597.tif 000003
【図２】
2004218597.tif 000004
【図３】
2004218597.tif 000005
【図４】
2004218597.tif 000006
【図５】
2004218597.tif 000007
【図６】
2004218597.tif 000008
【図７】
2004218597.tif 000009
【図８】
2004218597.tif 000010